(57)【要約】      （修正有）【課題】簡単な構成で、動力を必要とすることなく、水路を流れる水の量が少ない場合であっても確実に排水し、下流側の水位が上流側の水位よりも高い場合に確実に排水口を閉塞して逆流を防止することができる水門を提供する。【解決手段】水門１は、扉体３の上部をヒンジ４により揺動可能に吊下げ支持するアーム５と、排水口２ａの一側部の上方に配置されてアーム５の一端を回動可能に支持する軸とを備えている。アーム５の回動軸線Ｃ５は、鉛直Ｖに対して角度θで上流側に傾斜し、且つ、扉体３が排水口２ａを閉塞した状態と流れる水の圧力を受けていない状態でアーム５が水の流れに直交する方向に水平に延びるよう配設されている。扉体３のアーム５に対する揺動軸線Ｃ３は、扉体３が排水口２ａを閉塞した状態における扉体３の重心位置Ｗｇ２よりも下流側に所定長さδでオフセットされた位置に配置されている。【選択図】図１
0003171211.tif 000002
【実用新案登録請求の範囲】
【請求項１】
水路に扉体が揺動可能に設けられており、該扉体が揺動することにより前記水路の排水口を開閉する水門であって、
前記扉体の上部をヒンジにより揺動可能に吊下げ支持するアームと、前記排水口の一側部の上方に配置されて前記アームの一端を回動可能に支持する軸とを備えており、
前記軸による前記アームの回動軸線は、前記扉体が排水口を閉塞した状態および前記排水口を流れる水の圧力を受けていない状態で、その上端が下端よりも上流側に位置するように鉛直に対して傾斜し、且つ、前記扉体が排水口を閉塞した状態および前記排水口を流れる水の圧力を受けていない状態においてアームが水の流れに直交する方向に水平に延びるよう配設されており、
前記ヒンジによる扉体の前記アームに対する揺動軸線は、前記扉体が排水口を閉塞した状態における前記扉体の重心位置よりも下流側の位置に配置されていることを特徴とする水門。
【請求項２】
前記アームの回動軸線は、アームが水の流れに直交する方向に水平に延びた状態で、アームよりも下流側の位置に配置されていることを特徴とする請求項１に記載の水門。
【考案の詳細な説明】
【技術分野】
【０００１】
本考案は、水門に関し、特に河川や海岸、ダムなどに設置される水門に関するものである。
【背景技術】
【０００２】
河川や海岸、ダムなどには、水路の上流と下流の水位に応じて扉体を開閉する水門が設けられている。このような水門の従来の技術としては、例えば特許文献１に開示されているように、扉体を昇降させることによって開閉するものが知られている。このような水門は、図６に示すように、水路２’の水を上流側から下流側に排水する場合に、扉体３’を上昇させて水門１’の排水口２ａ’を開放する。また、下流側の水位が上昇した場合には、扉体３’を下降させて水門１’の排水口２ａ’を閉塞し、下流側から上流側に水が逆流するのを防止する。
【０００３】
このような水門１’では一般に、扉体３’の両側部を摺動可能に支持してその昇降移動をガイドする門柱６０’と、この門柱６０’の上方に跨ぐように設けられた床板６１’と、床板６１’上に設けられて扉体３’を昇降駆動する昇降装置６２’とを備えており、昇降装置６２’は、扉体３’が比較的大きい場合に電動モータなどの動力を使用するものや、扉体３’が比較的小さい場合に手動で操作するものが採用されている。なお、昇降装置６２’は一般に、動力を使用するものであっても、停電など動力源を喪失した場合に、手動により扉体３’を昇降させることが可能な補助機構を有している。このような水門１’では一般に、手動で操作する昇降装置６２’の場合は勿論のこと、動力を使用する昇降装置６２’を採用した場合であっても、人がスイッチ操作などを行うことにより扉体３’を昇降させて開閉しており、また、動力源を喪失したときに、人が堤防６４’から管理橋６３’を渡って昇降装置６２’の補助機構を操作しに行くことになる。
【０００４】
また、別の従来の技術としては、水路の排水口の上部にヒンジを介して扉体を揺動可能に設け、下流側の水位が上流側の水位よりも低い場合には水路を流れる水の水圧によって扉体の下部が排水口を開放するようヒンジを中心として揺動し、下流側の水位が上流側の水位よりも高い場合には、その下流側の水の水圧によって扉体の下部が排水口を閉塞して下流側から上流側に逆流するのを防止するようヒンジを中心として揺動する、所謂フラップゲートと呼ばれるものが知られている。このフラップゲートでは、扉体が水路の排水口を常に閉塞するように、その上部がヒンジによって揺動可能に支持されている。
【先行技術文献】
【特許文献】
【０００５】
【特許文献１】特開平８−８５９３４号公報
【考案の概要】
【考案が解決しようとする課題】
【０００６】
上記従来の技術において、特許文献１に開示されているように動力を用いる昇降装置６２’により扉体３’の昇降動作をするものにあっては、特に停電など動力源を喪失した状況となったときに、手動で昇降装置６２’の補助機構を操作して比較的大きな扉体３’を昇降させる必要があるため、上流側と下流側の水位の変動に応じて遅れることなく水門１’の排水口２ａ’を開閉することができないという問題があった。また、扉体３’を昇降させる構造の水門１’にあっては、昇降装置６２’が動力を使用するものであっても、人がスイッチ操作などにより扉体３’を昇降させなければならず、また、門柱６０’に扉体３’の昇降移動を阻害する塵芥などが付着していないかなど、安全確認を人によって行わなければならないなどの問題があった。さらに、扉体３’を昇降させる構造の水門１’にあっては、扉体３’の昇降移動をガイドするための門柱６０’や昇降装置６２’を設置するための床板６１’を設ける必要があるために構造が大型化することから、比較的広い設置面積が必要となり、水門１’を設置する場所が限定されたりコストがかかるなどの問題があった。
【０００７】
また、上記従来の技術のうち、所謂フラップゲートと呼ばれるものにあっては、扉体が水路の排水口を常に閉塞するようにその上部がヒンジによって支持されており、水路を流れる水の量が少なく（上流側の水位が低く）その水圧によっては扉体を開放するように揺動させることが困難である場合には、水路内の水位が充分に上昇して扉体を開放するまで、排水口から排水することができないという問題や、流下する塵芥等が水路に堆積し、水路を詰まらせたり、扉体が開いたときに水路の排水口との間に挟まれて、下流側の水位が高くなったときに排水口を確実に閉塞することができなくなり、その結果、上流側への逆流を確実に防止できなくなるという問題があった。そして、これらの問題を解決するためには、上流側と下流側の水位に関わらず扉体を開閉させるための駆動手段を設ける必要があり、上述した扉体を昇降移動させる水門と同様に、フラップゲートを設置する場所が限定されたりコストがかかるなどの問題があった。
【０００８】
本考案は、上述した問題に鑑みてなされたもので、簡単な構成で、動力を必要とすることなく、水路を流れる水の量が少ない場合であっても確実に排水することができ、且つ、下流側の水位が上流側の水位よりも高い場合に確実に排水口を閉塞して逆流を防止することができる水門を提供することを目的とする。
【課題を解決するための手段】
【０００９】
請求項１の水門に係る考案は、上記目的を達成するため、水路に扉体が揺動可能に設けられており、該扉体が揺動することにより前記水路の排水口を開閉する水門であって、前記扉体の上部をヒンジにより揺動可能に吊下げ支持するアームと、前記排水口の一側部の上方に配置されて前記アームの一端を回動可能に支持する軸とを備えており、前記軸による前記アームの回動軸線は、前記扉体が排水口を閉塞した状態および前記排水口を流れる水の圧力を受けていない状態で、その上端が下端よりも上流側に位置するように鉛直に対して傾斜し、且つ、前記扉体が排水口を閉塞した状態および前記排水口を流れる水の圧力を受けていない状態においてアームが水の流れに直交する方向に水平に延びるよう配設されており、前記ヒンジによる扉体の前記アームに対する揺動軸線は、前記扉体が排水口を閉塞した状態における前記扉体の重心位置よりも下流側の位置に配置されていることを特徴とする。
また、請求項２の水門に係る考案は、上記目的を達成するため、請求項１に記載の考案において、前記アームの回動軸線は、アームが水の流れに直交する方向に水平に延びた状態で、アームよりも下流側の位置に配置されていることを特徴とする。
【００１０】
請求項１の考案では、扉体の上部をヒンジにより揺動可能に吊下げ支持するアームの回動軸線は、扉体が排水口を閉塞した状態および排水口を流れる水の圧力を受けていない状態で、その上端が下端よりも上流側に位置するように鉛直に対して傾斜し、且つ、扉体が排水口を閉塞した状態および前記排水口を流れる水の圧力を受けていない状態においてアームが水の流れに直交する方向に水平に延びるよう配設されており、ヒンジによる扉体のアームに対する揺動軸線は、扉体が排水口を閉塞した状態における扉体の重心位置よりも下流側の位置に配置されていることにより、扉体は、その下部が水路を流れる水の水圧を受けない状態で排水口を僅かに開放した状態となる。そして、水路を大量の水が流れて水圧が高くなると、扉体は、その下部が排水口に対して僅かに開放した状態からさらに開放するよう揺動軸線を中心として揺動することとなり、さらに水路を大量の水が流れて水圧が高くなると、アームが回動軸線を中心として回動するため、扉体が排水口と対応する位置から退避することとなる。このとき、アームの回動軸線の上端が下端よりも上流側に位置するように鉛直に対して傾斜しているため、扉体の自重に抗してアームが回動されることとなる。したがって、水路を流れる水の量が低下して扉体が充分に押圧されなくなると、扉体の自重によってアームが水の流れと直交する方向に水平に延びるよう復帰することとなる。一方、排水口の下流側の水位が上昇するなどして上流側よりも下流側の水圧が高くなると、扉体は、下流側の水圧によって押圧されて、排水口に対して僅かに開放した状態から排水口を閉塞するよう揺動軸線を中心として下部が揺動することとなる。
また、請求項２の考案では、請求項１に記載の考案において、前記アームの回動軸線は、アームが水の流れに直交する方向に水平に延びた状態で、アームよりも下流側の位置に配置されていることにより、アームの回動軸線の水の流れと平行に仮想した延長線を超えて回動することがないため、水が大量に流れることによってアームが水の流れに沿うように下流側に回動した場合であっても、その大量の水の流れが低減したときにアームが水の流れに直交する方向に確実に復帰することができる。
【考案の効果】
【００１１】
請求項１に記載の考案によれば、扉体の上部をヒンジにより揺動可能に吊下げ支持するアームと、排水口の一側部の上方に配置されて前記アームの一端を回動可能に支持する軸とを備えており、前記軸による前記アームの回動軸線は、前記扉体が排水口を閉塞した状態および前記排水口を流れる水の圧力を受けていない状態で、その上端が下端よりも上流側に位置するように鉛直に対して傾斜し、且つ、前記扉体が排水口を閉塞した状態および前記排水口を流れる水の圧力を受けていない状態においてアームが水の流れに直交する方向に水平に延びるよう配設されており、前記ヒンジによる扉体の前記アームに対する揺動軸線は、前記扉体が排水口を閉塞した状態における前記扉体の重心位置よりも下流側の位置に配置されているという簡単な構成により、水路を流れる水の水圧を受けない状態で扉体の下部が排水口を僅かに開放した状態となるので、水路を流れる水の量が少ない場合など、上流側の水圧が低い場合でも、確実に上流から下流に水を排水することができ、さらに、水路を大量の水が流れる場合には、その水圧の上昇により、扉体の下部が排水口に対して僅かに開放した状態からさらに開放するよう揺動軸線を中心として他側部が動力によることなく揺動するため、かかる大量の水を遅れることなく排水することができ、さらに、水路を大量の水が流れて水圧が高くなった場合には、アームが回動軸線を中心として回動し、扉体が排水口と対応する位置から退避することとなるため、確実に大量の水を排水することができる。そして、アームの回動軸線の上端が下端よりも上流側に位置するように鉛直に対して傾斜しているため、扉体が排水口と対応する位置から退避するようアームが回動軸線を中心として回動するときには、扉体の自重に抗してアームが回動するので、水路を流れる水の量が低下して扉体が充分に押圧されなくなると、扉体の自重によってアームが水の流れと直交する方向に水平に延びるよう復帰することができる。また、排水口の下流側の水位が上昇するなどして上流側よりも下流側の水圧が高くなると、扉体は、下流側の水圧によって押圧されて、排水口に対して僅かに開放した状態から排水口を閉塞するよう揺動軸線を中心として下部が揺動するするため、かかる下流側の水が排水口から逆流するのを遅れることなく確実に防止することができる。
請求項２の考案によれば、請求項１に記載の考案において、前記アームの回動軸線は、アームが水の流れに直交する方向に水平に延びた状態で、アームよりも下流側の位置に配置されていることにより、水が大量に流れることによってアームが水の流れに沿うように下流側に回動した場合であっても、その大量の水の流れが低減したときにアームが水の流れに直交する方向に確実に復帰することができる。
【図面の簡単な説明】
【００１２】
【図１】本考案の水門の実施の一形態を説明するために扉体の基準状態を示した側面図である。
【図２】図１の平面図である。
【図３】図１の状態からアームが下流側に回動した状態を示した側面図である。
【図４】図３の平面図である。
【図５】図１の状態から扉体が排水口を閉塞した状態を示した側面図である。
【図６】図５の平面図である。
【図７】従来の扉体を昇降移動させる水門の概要を説明するために示した側面図である。
【考案を実施するための形態】
【００１３】
本考案の水門の実施の一形態を、主に図１〜図６に基づいて説明する。なお、図においては、左方が上流側となり、右方が下流側となる。
本考案の水門１は、概略、水路２に扉体３が揺動可能に設けられており、この扉体３が揺動することにより水路２の排水口２ａを開閉するものであって、扉体３の上部をヒンジ４により揺動可能に吊下げ支持するアーム５と、排水口２ａの一側部の上方に配置されてアーム５の一端を回動可能に支持する軸６とを備えている。軸６によるアーム５の回動軸線Ｃ５は、扉体３が排水口２ａを閉塞した状態および排水口２ａを流れる水の圧力を受けていない状態で、その上端が下端よりも上流側に位置するように鉛直Ｖに対して角度θで傾斜し、且つ、扉体３が排水口２ａを閉塞した状態および排水口２ａを流れる水の圧力を受けていない状態においてアーム５が水の流れに直交する方向に水平に延びるよう配設されている。また、ヒンジ４による扉体３のアーム５に対する揺動軸線Ｃ３は、扉体３が排水口２ａを閉塞した状態における扉体３の重心位置Ｗｇ２よりも下流側に所定長さδでオフセットされた位置に配置されている。さらに、本考案の水門１は、アーム５の回動軸線Ｃ５は、アーム５が水の流れに直交する方向に水平に延びた状態で、アーム５よりも下流側に所定の長さλでオフセットされた位置に配置されている。
【００１４】
この実施の形態における水路２は、水の流れに対して垂直な断面が略矩形に形成された樋管により構成されている。水路２は、堤防（図７の符号６４’を参照）の内側の支流河川などの内水域（図７における左方）と、河川や海岸、ダムなどの外水域（図７における右方）との間に設けられている。この実施の形態における水路２は、例えば断面が略矩形に形成することができ、また、例えば断面円形に形成することができる。水路２の排水口２ａの周囲は、垂直な壁面２０が形成されている。また、水路２の排水口２ａよりも下流には、外水域に水を流すために水路２よりも幅広の溝２１が設けられている。
【００１５】
排水口２ａの上方の一側部には、軸６を支持するブラケット６０が周囲の垂直な壁面２０および溝２１の側壁から突出するように設けられている。軸６を支持するブラケット６０は、軸６の上端が下端よりも上流側に位置するよう鉛直Ｖに対して所定の角度θだけ傾斜するように形成されている。また、軸６を支持するブラケット６０は、アーム５が水の流れと直交する方向に延びている状態で、アーム５が水平となるように形成されている。そのため、アーム５は、水の流れに直交する方向に水平に延びた状態から、後述するように水の流れに沿って下流側に回動したときに、軸６に接続された一端（基端）よりも他端（先端）が上方に位置することとなる。したがって、アームの先端の高さは、水の流れに直交する方向に水平に延びた状態が最も低く、水の流れに沿って下流側に回動したときが最も高くなる。
【００１６】
また、アーム５の軸６によってブラケット６０と接続される端部は、アーム５が水の流れと直交する方向に延びている状態で、下流側に延びるように屈曲されている。そのため、アーム５の回動軸線Ｃ５は、アーム５が水の流れと直交する方向に延びる状態で、所定のオフセット長さλだけアーム５の下流側に位置している。そのため、図４に示すように、後述するように水が大量に流れることによってアーム５が水の流れに沿って下流側に回動したときに、回動軸線Ｃ５の水の流れと平行に仮想した延長線Ｃ５ａをアーム５が越えることがない。そのため、水が大量に流れなくなったときに、図２に示すように、アーム５が水の流れに直交する方向に確実に復帰することができる。
【００１７】
扉体３は、水路２の断面に応じた形状で板状に形成されている。扉体３の上部は、ヒンジ４によりアーム５に吊り下げ支持されるよう接続されている。ヒンジ４は、扉体３側に設けられる扉体側取付片４０と、アーム５に設けられるアーム側取付片４１と、両取付片４０、４１を回動可能に接続するピン（図示は省略するが、ピンの中心軸線に一致する揺動軸Ｃ３を参照されたい）とを備えている。アーム側取付片４１は、アーム５が水の流れに直交する方向に延びている状態で、アーム５の下流側の面に設けられている。扉体側取付片４０は、扉体３が排水口２ａを閉塞した状態で、扉体３の上方であって下流側に延びている。この構成により、扉体３の揺動軸線Ｃ３は、扉体３が排水口２ａを閉塞した状態において、その扉体３の重心Ｗｇ２の位置から下流側に所定の長さδだけオフセットされるよう位置している。
【００１８】
以上のように構成された水門１では、扉体３が排水口２ａを閉塞した状態（この状態を閉塞状態という）および排水口２ａを流れる水の圧力を受けていない状態で、軸４に支持されたアーム５の回動軸線Ｃ５は、その上端が下端よりも上流側に位置するように鉛直Ｖに対して傾斜し、且つ、扉体３が閉塞状態および排水口２ａを流れる水の圧力を受けていない状態（この状態を基準状態という）においてアーム５が水の流れに直交する方向に水平に延びるよう位置している。また、前記ヒンジ４のピンの中心軸線と一致する扉体３のアーム５に対する揺動軸線Ｃ３は、閉塞状態における扉体３の重心ｗｇ２の位置よりも所定の距離δだけ下流側に位置している（図５）。なお、図１に示すように扉体３の重心Ｗｇ１〜３の位置の高さは、基準状態の重心Ｗｇ１の位置が最も低く、一点鎖線で示した閉塞状態の重心Ｗｇ２の位置が基準状態の重心Ｗｇ１の位置よりも僅かに高く、二点鎖線で示した全開状態の重心Ｗｇ３の位置が最も高くなる。
【００１９】
ここで、水路２を水が流れていないときや、図５に示すように水路２を僅かな量の水しか流れないときなど、扉体３が水路２を流れる水の水圧を受けていない基準状態においては、扉体３の重心ｗｇ１がアーム５に対する揺動軸線Ｃ３の直下に位置することとなり（図１）、扉体３の下部が排水口２ａからはなれて僅かに開放した状態となっている。そのため、水路２を流れる僅かな量の水は、排水口２ａから下流の外水域に流出することができ、また、流れる水に含まれる塵芥が扉体３と排水口２ａとの間に挟まれることがない。
【００２０】
そして、水路２を流れる水の量が増加して扉体３を押圧する場合には、その流れる水の水圧によって扉体３が基準状態から、図１に矢印Ｒで示すように、揺動軸Ｃ３（ヒンジ４のピンの中心軸線）を中心として直ちに揺動して、さらに扉体３の下部が排水口２ａを開放することとなり、大量の水を下流側の外水域に流出させることができる。このとき、扉体の重心の位置は、基準状態の重心Ｗｇ１よりも上昇する。そのため、水路２を流れる水により扉体３が押圧されなくなると、動力を用いることなく、扉体３は自ら基準状態に復帰することとなる。
【００２１】
そして、水路２を流れる水の量がさらに増加して扉体３を押圧する場合には、図３および図４に示すように、アーム５が回動軸線Ｃ５を中心として下流側に回動し、扉体３全体が排水口２ａと対応する位置からから遠ざかるように退避し、排水口２ａを全開放する状態となる（この状態を全開放状態という）ため、大量の水を下流側の外水域に流出させることができる。このとき、アームの先端が基端よりも高く位置するよう傾斜しており、扉体３の重心Ｗｇ３の位置が最も高く位置しており、さらに、アーム３が仮想延長線Ｃ５ａをアーム５が越えて回動することがないため、水が大量に流れなくなったときに、図２に示すように、動力を用いることなく、アーム５が自ら水の流れに直交する方向に確実に復帰し、また、扉体３が自ら基準状態に確実に復帰することとなる。
【００２２】
一方、図５および図６に示したように、外水域の水位が内水域または水路２内の水位よりも高くなったとき（つまり、排水口２ａの下流側の水位が上流側の水位よりも高くなるとき）には、その外水域の水圧により扉体３が押圧されて、動力を用いることなく、扉体３が揺動軸Ｃ３を中心として基準位置から直ちに揺動して、扉体３が排水口２ａを僅かに開放した状態から閉塞し、排水口２ａの下流側から上流側に逆流するのを確実に防止することができる。なお、このとき、外水域の水圧により扉体３が押圧されているため、アーム３は、確実に排水口２ａの上方に水平に延びるよう位置している。
【産業上の利用可能性】
【００２３】
本考案は、扉体の大きさや重量、想定される水の流量などに応じて、扉体の揺動軸線の下流側オフセット量δとオフセット角度θを任意に変更することができる。
【符号の説明】
【００２４】
１：水門、  ２：水路、  ３：扉体、  ４：ヒンジ、  ５：アーム、  ６：軸、  ２ａ：排水口、  Ｃ３：扉体のアームに対する揺動軸線、  Ｃ５：アームの回動軸線、  δ：扉体の揺動軸線の下流側オフセット量、  θ：オフセット角度、  λ：アームの回動軸線の下流側オフセット量、  Ｗｇ１：扉体の基準状態における重心、  Ｗｇ２：扉体の閉塞状態における重心、  Ｗｇ３：扉体の全開放状態における重心
【図１】
0003171211.tif 000003
【図２】
0003171211.tif 000004
【図３】
0003171211.tif 000005
【図４】
0003171211.tif 000006
【図５】
0003171211.tif 000007
【図６】
0003171211.tif 000008
【図７】
0003171211.tif 000009